(57)【要約】【課題】電子黒板に描画した手書き文字のストローク情報から、認識処理した認識結果ウィンドウのテキストコード文字列を検索することが可能な電子黒板システムを提供することを目的とする。【解決手段】ストローク情報記憶部３１に記憶されたストローク情報がストローク情報認識部３２によって認識された際に、認識結果情報が認識結果情報処理部３４によって認識結果情報記憶部３５に格納される。さらに認識結果情報処理部３４は、認識結果情報記憶部３５に格納されている認識結果情報の中から、イメージ上のボードでユーザの指定した座標から、該当する認識一単位情報を検索する。【選択図】  図３
2004260684.tif 000002
【特許請求の範囲】
【請求項１】
スクリーン上に描画された文字の座標情報および色情報をストローク情報として送信する電子黒板と、前記電子黒板から送信された前記ストローク情報に基づき認識処理したテキストコード文字列を表示する認識結果ウィンドウと、描画された手書き文字をそのままイメージとして表示するイメージウィンドウとを備えた表示装置で構成される電子黒板システムであって、
表示装置は、現在ページのストローク情報群を記憶するストローク情報記憶部と、前記ストローク情報群を手書き文字として認識処理し、前記テキストコード文字列及び認識元となった前記ストローク情報群を出力するストローク情報認識部と、前記ストローク情報認識部が前記ストローク情報群を認識処理する際に参照する辞書情報を記憶する辞書情報記憶部と、前記ストローク情報認識部が出力した前記テキストコード文字列及び認識元となった前記ストローク情報群を受け取り認識結果情報として構築かつ処理する認識結果情報処理部と、前記認識結果情報を記憶する認識結果情報記憶部と、前記認識結果情報処理部を介して前記認識結果情報を取得し、ユーザのテキスト操作の結果を前記認識結果情報に反映させるテキスト処理部を備え、前記認識結果情報は、認識結果の全テキストコード文字列と、前記テキストコード文字列上のそれぞれの単語の情報を認識一単位情報として保持する認識一単位リストと、ユーザによって現在選択されている前記認識一単位情報が示す手書き文字を囲う矩形状の領域座標を保持する選択矩形領域情報で構成され、前記認識一単位情報は、全テキストコード文字列中に該当する単語の開始インデックスおよび終了インデックスと、認識元となった前記手書き文字を囲む矩形状の領域座標を保持する外接矩形領域情報から構成され、前記認識結果情報処理部は、ユーザが前記表示装置の前記イメージウィンドウ上で任意の座標を指定すると、前記認識結果情報からその座標を含む前記外接矩形領域情報を保持する前記認識一単位情報を、前記認識一単位リストの中から検索し、検索された前記認識一単位情報が保持するテキストコード文字列上の前記開始および終了インデックスを通知することを特徴とする電子黒板システム。
【請求項２】
前記認識結果情報処理部は、前記イメージウィンドウで指定された座標を含む前記外接矩形領域情報を保持する前記認識一単位情報を、前記認識一単位リストの中から検索し、検索された前記認識一単位情報により認識元となった前記イメージウィンドウの単語を前記外接矩形領域情報を基に囲うように点線または反転表示することを特徴とする請求項１に記載の電子黒板システム。
【請求項３】
前記認識結果情報処理部は、前記イメージウィンドウで指定された座標を含む前記外接矩形領域情報を保持する前記認識一単位情報を、前記認識一単位リストの中から検索し、検索された前記認識一単位情報より前記開始インデックス及び前記終了インデックスで示された範囲を、テキスト処理部によって認識結果ウィンドウに表示されている該当する単語を反転表示等の選択状態とすることを特徴とする請求項１または請求項２に記載の電子黒板システム。
【発明の詳細な説明】
【０００１】
【発明の属する技術分野】
本発明は、座標検出技術を利用して得られる電子黒板のスクリーン上へ描画された情報を、通信手段を利用し表示装置へ伝送し、表示装置側でスクリーンの描画状態を仮想的に再現できる電子黒板システムに関する。
【０００２】
【従来の技術】
近年、電子黒板システムは、電子黒板のスクリーン上での操作位置をセンサーにより自動的に検出する座標検出技術を利用し、マーカー等で描画された軌跡をリアルタイムに表示装置であるパーソナルコンピュータ（以下、「ＰＣ」と称す。）に取りこみ、ＰＣ上の制御プログラムで電子黒板のスクリーンを仮想的に再現する、いわゆるインタラクティブ機能を搭載した電子黒板システムが見うけられる（例えば、特許文献１参照）。
【０００３】
従来の電子黒板システムを図８、図９を用いて説明する。
【０００４】
図８は従来の電子黒板システムの構成を示す図であり、電子黒板とＰＣが通信ケーブルで接続された一般的なシステムを示している。
【０００５】
ユーザが手書き文字を描画する電子黒板８１と、描画した文字等を表示する表示装置であるＰＣ８２と、電子黒板８１とＰＣ８２を接続する通信ケーブル８３により構成されている。
【０００６】
まず、インタラクティブ機能に必要な座標検出方法を説明する。電子ペン８４により同時に発信された赤外光と超音波を座標検出センサー８５がそれぞれ受信する。電子黒板８１は、その時間差により電子ペン８４から座標検出センサー８５までの距離を算出する。座標検出センサー８５はスクリーン上部の両端に配置されており、その間の距離はあらかじめわかっていることから、電子黒板８１は、三角法によりスクリーン左上を原点とした座標を検出することができる。
【０００７】
次に、電子黒板８１により検出された座標情報は、通信ケーブル８３を介して順次ＰＣ８２へリアルタイムに送信される。ＰＣ８２上の制御プログラム８６は情報を受信し、座標情報からスクリーンに描画された内容を再現する。このとき、電子黒板８１は、電子ペン８４が発する赤外光にカラー情報を付加し、座標と同時にカラー情報をＰＣ８２へ送信することにより、制御プログラム８６はカラーも再現できる。
【０００８】
電子黒板８１は、スクリーン面を複数用意し、図８の操作部８７に用意したボタンを押すことによりスクリーンがスクロールし、新しい面が前面に現れる、といった方式のものがある。図９は従来の電子黒板により描画された文字をＰＣ上に表示した一例を示す図で、ＰＣ上の制御プログラム８６で電子黒板８１のスクリーンの４面分を取り込んだ所を示している。
【０００９】
制御プログラム８６では、電子黒板８１のスクリーンの１面をページという単位で扱っており全ページのサムネイルを表示するサムネイルウィンドウ９１としている。また、制御プログラム８６は、現在電子黒板８１のスクリーンに描画中の面に対応したページであるイメージウィンドウ９２を表示し、受信中の座標情報を使用し、電子黒板８１に描画中のページを再現する。
【００１０】
このような電子黒板システムにおいて、ＰＣ８２上の制御プログラム８６で、イメージ上のボードつまりイメージウィンドウ９２に描かれた手書き文字の軌跡、所謂ストローク情報を文字認識し、結果をテキストコード文字列として画面に出力し、議事録作成等に活用できるようにしたものがある。
【００１１】
図９に示す文字は、電子黒板により描画された文字をＰＣ上に表示した一例を示す。
【００１２】
イメージウィンドウ９２に描かれた４つの文字列について、制御プログラム８６が認識処理を実行した結果が、右側の認識結果ウィンドウ９３にテキストコード文字列として表示される。ここで各文字列は、スペースコードや改行コード等で区切った一繋がりのテキストコードとして出力されており、出力後もスペル修正などの簡単なテキスト編集作業ができるようになっている。
【００１３】
このような制御プログラム８６では、出力されたテキストコード文字列がどのストローク情報群を認識したものなのかを示すために、ある文字列にマウスやキーボードで、テキストカーソルを置いたり範囲選択したりすると、認識元となったストローク情報群である手書き文字を囲うように外接する矩形状の点線表示や反転表示等で示されるようになっている。例えば図９において、ユーザは、認識結果ウィンドウ９３の中から「Ｈａｎｄｗｒｉｔｉｎｇ」という文字列９５を範囲選択すると、制御プログラム８６により、その認識元となったストローク情報群を基に手書き文字を囲う矩形状の領域を示す外接矩形９４が点線表示で示される。これにより、ユーザは文字列９５の認識元となったストローク情報群である手書き文字が外接矩形９４に囲まれた部分であることが判別できる。
【００１４】
【特許文献１】
特開２０００−１７２４２２号公報（第１図）
【００１５】
【発明が解決しようとする課題】
しかしながら、従来の電子黒板システムにおいては、あるストローク情報群が認識の結果、どういうテキストコード文字列となったかということを知る検索手段が用意されていないために、ユーザが電子黒板に描画し入力したストローク情報から認識結果のテキストコード文字列を知ることができないという問題が生じていた。
【００１６】
したがって、イメージウィンドウに表示している手書き文字から認識結果ウィンドウに表示しているテキストコード文字列の検索が不可能であるため、電子黒板に描画した文字数が比較的少ない場合は、ユーザの目視による検索でも支障はないが、電子黒板の１画面により多くの文字を描画した場合には、ユーザは、認識結果ウィンドウから該当するテキストコード文字列を目視で探す作業をする必要があり、手間がかかり煩雑である。
【００１７】
そこで、本発明においては、電子黒板に描画した手書き文字のストローク情報から、認識処理した認識結果ウィンドウのテキストコード文字列を検索することが可能な電子黒板システムを提供する。
【００１８】
【課題を解決するための手段】
上記課題を解決するために本発明の電子黒板システムは、スクリーン上に描画された文字の座標情報および色情報をストローク情報として送信する電子黒板と、前記電子黒板から送信された前記ストローク情報に基づき認識処理したテキストコード文字列を表示する認識結果ウィンドウと、描画された手書き文字をそのままイメージとして表示するイメージウィンドウとを備えた表示装置で構成される電子黒板システムであって、
表示装置は、現在ページのストローク情報群を記憶するストローク情報記憶部と、前記ストローク情報群を手書き文字として認識処理し、前記テキストコード文字列及び認識元となった前記ストローク情報群を出力するストローク情報認識部と、前記ストローク情報認識部が前記ストローク情報群を認識処理する際に参照する辞書情報を記憶する辞書情報記憶部と、前記ストローク情報認識部が出力した前記テキストコード文字列及び認識元となった前記ストローク情報群を受け取り認識結果情報として構築かつ処理する認識結果情報処理部と、前記認識結果情報を記憶する認識結果情報記憶部と、前記認識結果情報処理部を介して前記認識結果情報を取得し、ユーザのテキスト操作の結果を前記認識結果情報に反映させるテキスト処理部を備え、前記認識結果情報は、認識結果の全テキストコード文字列と、前記テキストコード文字列上のそれぞれの単語の情報を認識一単位情報として保持する認識一単位リストと、ユーザによって現在選択されている前記認識一単位情報が示す手書き文字を囲う矩形状の領域座標を保持する選択矩形領域情報で構成され、前記認識一単位情報は、全テキストコード文字列中に該当する単語の開始インデックスおよび終了インデックスと、認識元となった前記手書き文字を囲む矩形状の領域座標を保持する外接矩形領域情報から構成され、前記認識結果情報処理部は、ユーザが前記表示装置の前記イメージウィンドウ上で任意の座標を指定すると、前記認識結果情報からその座標を含む前記外接矩形領域情報を保持する前記認識一単位情報を、前記認識一単位リストの中から検索し、検索された前記認識一単位情報が保持するテキストコード文字列上の前記開始および終了インデックスを通知するように構成したものである。
【００１９】
この構成により、手書き文字の軌跡であるストローク情報側からその認識結果のテキストコード文字列を容易に検索できるようにしたため、ユーザは素早く的確にストローク情報群とその認識結果の関連付けを知ることができる。
【００２０】
【発明の実施の形態】
本発明の請求項１に記載の発明は、スクリーン上に描画された文字の座標情報および色情報をストローク情報として送信する電子黒板と、電子黒板から送信されたストローク情報に基き認識処理したテキストコード文字列を表示する認識結果ウィンドウと、描画された手書き文字をそのままイメージとして表示するイメージウィンドウとを備えた表示装置で構成される電子黒板システムであって、表示装置は、現在ページのストローク情報群を記憶するストローク情報記憶部と、ストローク情報群を手書き文字として認識処理し、テキストコード文字列及び認識元となったストローク情報群を出力するストローク情報認識部と、ストローク情報認識部がストローク情報群を認識処理する際に参照する辞書情報を記憶する辞書情報記憶部と、ストローク情報認識部が出力したテキストコード文字列及び認識元となったストローク情報群を受け取り認識結果情報として構築かつ処理する認識結果情報処理部と、認識結果情報を記憶する認識結果情報記憶部と、認識結果情報処理部を介して認識結果情報を取得し、ユーザのテキスト操作の結果を認識結果情報に反映させるテキスト処理部を備え、認識結果情報は、認識結果の全テキストコード文字列と、テキストコード文字列上のそれぞれの単語の情報を認識一単位情報として保持する認識一単位リストと、ユーザによって現在選択されている認識一単位情報が示す手書き文字を囲う矩形状の領域座標を保持する選択矩形領域情報で構成され、認識一単位情報は、全テキストコード文字列中に該当する単語の開始インデックスおよび終了インデックスと、認識元となった手書き文字を囲む矩形状の領域座標を保持する外接矩形領域情報から構成され、認識結果情報処理部は、ユーザが表示装置のイメージウィンドウ上で任意の座標を指定すると、認識結果情報からその座標を含む外接矩形領域情報を保持する認識一単位情報を、認識一単位リストの中から検索し、検索された認識一単位情報が保持するテキストコード文字列上の開始および終了インデックスを通知する電子黒板システムとしたものである。
【００２１】
これにより、手書き文字の軌跡であるストローク情報側からその認識結果のテキストコード文字列を容易に検索できるようにしたため、ユーザは素早く的確にストローク情報群とその認識結果の関連付けを知ることが可能となる。
【００２２】
請求項２に記載の発明は、認識結果情報処理部は、イメージウィンドウで指定された座標を含む外接矩形領域情報を保持する認識一単位情報を、認識一単位リストの中から検索し、検索された認識一単位情報により認識元となったイメージウィンドウの単語を外接矩形領域情報を基に囲うように点線または反転表示するように構成したものであり、この構成によりユーザは、素早く的確に認識元のストローク情報群の範囲を知ることが可能となる。
【００２３】
請求項３に記載の発明は、認識結果情報処理部は、イメージウィンドウで指定された座標を含む外接矩形領域情報を保持する認識一単位情報を、認識一単位リストの中から検索し、検索された認識一単位情報より開始インデックス及び終了インデックスで示された範囲を、テキスト処理部によって認識結果ウィンドウに表示されている該当する単語を反転表示等の選択状態とするように構成したものであり、この構成によりユーザは、よりわかりやすく認識結果のテキストコード文字列を確認することが可能となる。
【００２４】
以下、本発明の実施の形態について、図１から図９を参照しながら説明する。
【００２５】
なお、図８の全体構成および図９の表示装置は従来の技術の項で既に述べた構成と共通するので、説明を省略する。
【００２６】
（実施の形態１）
図１は本発明の実施の形態におけるＰＣの機能ブロック図である。
【００２７】
図１において、ＰＣ８２は、キーボードやマウス等の入力装置１１と、ＣＲＴ等の出力装置１２と、電子黒板８１とのデータ通信をおこなうための通信手段１３と、通信データを解析し処理を決定する通信データ処理部１４と、任意時点でのスクリーン描画状態をページ単位とし複数ページをドキュメント単位として管理するためのドキュメント情報記憶部１５と、ドキュメント情報記憶部１５のドキュメント情報を元にウィンドウ上にスクリーン描画状態を再現するドキュメント情報描画手段１６と、全体の処理を制御する制御部１７から構成される。
【００２８】
図２（ａ）は本発明の実施の形態におけるＰＣのドキュメント情報記憶部の具体例を示す図である。ドキュメント情報記憶部１５は、電子黒板８１のページ単位の情報を任意のページ数分、ページ情報２１として管理している。ページ情報２１は、複数あるページ情報の中の、１ページのページ情報を表している。ページ情報２１は１つのベースイメージとストローク情報リストからなる。
【００２９】
ベースイメージは、ページの背景となるイメージであり、この上にすべてのストロークが描画される。
【００３０】
ストローク情報リストは、電子黒板８１上で電子ペン８４を使用して筆記された、各手書き文字のストローク単位の描画を再現するためのストローク情報を管理している。ストローク情報２２は、複数分あるストローク情報の中の１つを表しており、各文字の座標データなどを格納している。
【００３１】
図２（ｂ）は、本発明の実施の形態における英語筆記体の「ｔ」という文字のストローク情報の一例を示すための図である。図２（ｂ）に示す通り「ｔ」はＳ１、Ｓ２の２つのストロークからなっており、ストローク情報２２は線幅、線カラー、および２個以上の座標データにより構成されている。図２（ｂ）の黒点で示すようにＳ１は１０箇所、Ｓ２は３箇所の座標データを記憶している。このようにストローク情報を記憶しておけば、ＰＣ８２上のイメージウィンドウ９２など任意の２次元空間で図２（ｂ）で示される「ｔ」の描画を再現することができる。
【００３２】
具体的には、個々のストローク情報２２が記憶している座標データを上から順に各々の線幅と線カラーを使用して線で結んでいく。ここで、実際に電子ペン８４でスクリーン上に筆記された描画と再現する描画が相似になるのであれば、線は直線であってもベジエ曲線などの近似曲線であっても構わない。
【００３３】
図３は本発明の実施の形態における制御部の機能ブロック図である。
【００３４】
図３において、制御部１７は、ストローク情報記憶部３１と、ストローク情報認識部３２と、辞書情報記憶部３３と、認識結果情報処理部３４と、認識結果情報記憶部３５と、テキスト処理部３６から構成される。
【００３５】
ストローク情報記憶部３１は、現在ページのストローク情報群を記憶する。
【００３６】
ストローク情報認識部３２は、ストローク情報を手書き文字として認識し、テキストコード文字列及びその認識元となったストローク情報を出力する。
【００３７】
辞書情報記憶部３３は、ストローク情報認識部３２がストローク情報群を認識する際に参照する辞書情報を記憶する。
【００３８】
認識結果情報処理部３４は、ストローク情報認識部３２が出力したテキストコード文字列及びその認識元となったストローク情報群を受け取り、一元管理可能な認識結果情報４１を構築かつ処理する。
【００３９】
認識結果情報記憶部３５は、認識結果情報処理部３４によって構築かつ処理された認識結果情報４１を記憶する。
【００４０】
テキスト処理部３６は、認識結果情報処理部３４を介して、認識結果情報記憶部３５に格納された認識結果情報４１を取得したり、あるいはユーザのテキスト操作を認識結果情報４１に反映させる。
【００４１】
図４は本発明の実施の形態における認識結果情報記憶部が格納する認識結果情報の構成を示す図であり、認識結果情報４１は、認識結果を一単語ごとに改行コードで区切りを入れ一繋がりにしたテキストコード文字列と、各認識結果の情報を一単位とする認識一単位リストと、ユーザによって現在選択されている手書き文字を囲う矩形状の領域座標を保持する選択矩形領域情報からなる。認識一単位リストは、テキストコード文字列上のそれぞれの単語の情報を認識一単位情報４２として保持し、前記認識結果を一繋がりにしたテキストコード文字列上の開始インデックス及び終了インデックス、認識元となった手書き文字を囲う矩形状の領域座標を外接矩形領域情報として格納する。
【００４２】
図５は、本発明の実施の形態におけるイメージウィンドウ及び認識結果ウィンドウの情報を認識結果情報として格納した場合を示した図である。
【００４３】
図５において、イメージウィンドウ９２に表示されている手書き文字を文字認識すると、認識結果情報４１のテキストコード文字列は各認識結果「Ｅｌｅｃｔｒｏｎｉｃ、「Ｂｏａｒｄ」、「Ｈａｎｄｗｒｉｔｉｎｇ」、「Ｒｅｃｏｇｎｉｔｉｏｎ」となり、スペースや改行などのコードで区切って一繋がりに保持している。
【００４４】
認識一単位リストは、４つの認識結果を各認識一単位情報４２として管理している。例えば１番目の認識一単位情報４２の開始インデックスと終了インデックスは、「０」と「１０」が入っており、これはテキストの０番目から１０番目の間に１番目の認識結果「Ｅｌｅｃｔｒｏｎｉｃ」が存在することを表している。このインデックスの値はユーザのテキストの編集作業によって変更されることがあるが、それはテキスト処理部３６を経て認識結果情報処理部３４に伝えられ、逐一最新の情報に更新される。また、外接矩形領域情報は、ストローク情報群の認識結果「Ｅｌｅｃｔｒｏｎｉｃ」のイメージウィンドウ９２での領域が（１１０、５０、５１０、１３０）であることを示している。この具体例では領域を（左，上，右，下）の座標で管理しているが、例えば（左，上，幅，高さ）などの領域がわかる値であれば何でも良い。選択矩形領域情報は、（１００、４００、６００、５００）の値を保持しており、ユーザが、イメージウィンドウ９２において、３番目の認識一単位情報が管理する認識結果「Ｈａｎｄｗｒｉｔｉｎｇ」を選択していることを示す。
【００４５】
次に、本発明の実施の形態における処理の流れを図６及び図７に示したフローチャートに沿って説明する。
【００４６】
図６は、本実施の形態に係る認識処理時の処理を示すフローチャートである。具体的には、ストローク情報記憶部３１に格納されたストローク情報群がストローク情報認識部３２によって認識された際に、認識結果情報４１として認識結果情報処理部３４によって認識結果情報記憶部３５に格納される過程を示す。
【００４７】
まずユーザがメニューの実行などにより現在イメージウィンドウ９２に表示されているストローク情報群を記憶しているストローク情報記憶部についての認識処理を呼び出すと、ストローク情報認識部３２によって、ストローク情報記憶部のストローク情報群の認識処理が行われる（Ｓ６１）。
【００４８】
ストローク情報認識部３２は、辞書情報記憶部３３を参照しながら最適な認識結果を決定する。認識処理が終わると、認識結果情報処理部３４は、ストローク情報認識部３２よりストローク情報群の認識結果の個数を取得する。つまり認識処理をした単語の個数を取得する（Ｓ６２）。
【００４９】
次に、認識結果情報処理部３４は、認識結果が存在するかどうかを判定する（Ｓ６３）。
【００５０】
認識結果情報処理部３４は、認識結果が存在する場合は認識結果をストローク情報認識部３２から一つずつ取得する（Ｓ６４）。
【００５１】
認識結果情報処理部３４は、テキストコード文字列に認識結果であるテキストコード文字列を追加して一繋がりとする（Ｓ６５）。
【００５２】
次いで、認識結果情報処理部３４は、先程追加したテキストコード文字列の、文字列全体から見た開始と終了のインデックスを算出する（Ｓ６７）。
【００５３】
さらに認識結果情報処理部３４は、ストローク情報認識部３２よりその認識元となったストローク情報を取得し、手書き文字を囲う矩形領域の座標（外接矩形領域情報）を算出する（Ｓ６８）。
【００５４】
最後に、認識結果情報処理部３４は、テキストコード文字列、開始および終了のインデックス、外接矩形の座標を認識結果情報記憶部３５が保持する認識結果情報４１に追加して（Ｓ６９）、さらに生成すべき認識結果があるかどうかを判定すべく、ステップＳ６３へと移行する。ステップＳ６３において、残りの認識結果が存在しない場合は処理を終了する。
【００５５】
このようにして、ストローク情報側から認識結果のテキストコード文字列を検索するための情報が構築される。
【００５６】
図７は、本発明の実施の形態に係るストローク情報側から認識結果を検索する時の処理を示すフローチャートである。
【００５７】
具体的には、認識結果情報処理部３４が、認識結果情報記憶部３５に格納されている認識結果情報４１の中から、イメージウィンドウ９２でユーザの指定した座標から、該当する認識一単位情報を検索する過程を示す。
【００５８】
まず、ユーザがイメージウィンドウ９２において認識結果を知りたい手書き文字をマウス等の入力装置１１で座標指定する。例えば外接矩形９４内の任意の座標を指定する。認識結果情報処理部３４は、認識結果情報記憶部３５に格納された認識結果情報４１の認識一単位リストに要素が存在するかを判定する（Ｓ７１）。
【００５９】
リストに要素が存在しない場合は、調べるべき認識結果がこれ以上存在しないことから処理を終了する。リストに要素が存在する場合は認識一単位情報４２を一つ取得し（Ｓ７２）、その認識一単位情報４２が保持する外接矩形領域情報内にユーザの指定した座標が存在するかを判定する（Ｓ７３）。
【００６０】
認識結果情報処理部３４は、外接矩形領域情報内に座標が存在しない場合は他の要素について調査すべくステップＳ７１に移行する。外接矩形領域情報内に座標が存在する場合は、この認識一単位情報４２が管理するテキストコード文字列がユーザの求める認識結果であることから、テキスト処理部３６によって認識一単位情報４２が示す開始インデックスから終了インデックスの範囲により選択状態にして、ユーザがイメージウィンドウ９２においてマウス等の入力装置１１にて座標指定したストローク情報の認識結果であるテキストを抽出する（Ｓ７４）。
【００６１】
次にＳ７３にて検索した認識一単位情報４２の外接矩形領域情報を選択矩形領域情報に格納する（Ｓ７５）。
【００６２】
最後に選択されたストローク情報群の外接矩形を点線表示や反転表示などして、このストローク情報群の範囲を明示して処理を終了する。図９においては、外接矩形９４内の任意の座標を指示した場合、文字列９５が反転表示する（Ｓ７６）。
【００６３】
以上のように、本実施の形態の電子黒板システムにおいては、ストローク情報からその認識結果のテキストコード文字列を容易に検索できるようにしたため、ユーザは素早く的確にストローク情報である手書き文字とその認識結果の関連付けを知ることができる。
【００６４】
【発明の効果】
以上説明したように請求項１に記載の電子黒板システムによれば、イメージウィンドウで指定した座標により、認識結果記憶部のテキストコード文字列の中から前記指定された座標を含むテキストコード文字列を抽出するので、ユーザは素早く的確に指定した手書き文字とその認識結果の関連付けを知ることが可能となり、議事録作成などの編集作業を効率良く行えるなどの有利な効果が得られる。
【００６５】
また本発明の請求項２に記載の電子黒板システムによれば、認識結果情報処理部は、イメージウィンドウで指定された座標により、抽出したテキストコード文字列に対応する手書き文字を囲うような矩形状の領域を表示するので、ユーザは、素早く的確に認識元の手書き文字を知ることが可能となる。
【００６６】
さらに本発明の請求項３に記載の電子黒板システムによれば、ユーザがイメージウィンドウにて指定した座標により認識結果ウィンドウ上のテキストコード文字列を選択表示されるので、ユーザは、よりわかりやすく認識結果のテキストコード文字列を確認することが可能となる。
【図面の簡単な説明】
【図１】本発明の実施の形態におけるＰＣの機能ブロック図
【図２】（ａ）本発明の実施の形態におけるＰＣのドキュメント情報記憶部の具体例を示す図
（ｂ）本発明の実施の形態における英語筆記体の「ｔ」という文字のストローク情報の一例を示すための図
【図３】本発明の実施の形態における制御部の機能ブロック図
【図４】本発明の実施の形態における認識結果情報記憶部が格納する認識結果情報の構成を示す図
【図５】本発明の実施の形態におけるイメージウィンドウ及び認識結果ウィンドウの情報を認識結果情報として格納した場合を示した図
【図６】本実施の形態に係る認識処理時の処理を示すフローチャート
【図７】本発明の実施の形態に係るストローク情報側から認識結果を検索する時の処理を示すフローチャート
【図８】従来の電子黒板システムの構成を示す図
【図９】従来の電子黒板により描画された文字をＰＣ上に表示した一例を示す図
【符号の説明】
１１  入力装置
１２  出力装置
１３  通信手段
１４  通信データ処理部
１５  ドキュメント情報記憶部
１６  ドキュメント情報描画部
１７  制御部
２１  ページ情報
２２  ストローク情報
３１  ストローク情報記憶部
３２  ストローク情報認識部
３３  辞書情報記憶部
３４  認識結果情報処理部
３５  認識結果情報記憶部
３６  テキスト処理部
４１  認識結果情報
４２  認識一単位情報
８１  電子黒板
８２  ＰＣ
８３  通信ケーブル
８４  電子ペン
８５  座標検出センサー
８６  制御プログラム
９１  サムネイルを表示するウィンドウ
９２  イメージウィンドウ
９３  認識結果ウィンドウ
９４  外接矩形
９５  文字列
【図１】
2004260684.tif 000003
【図２】
2004260684.tif 000004
【図３】
2004260684.tif 000005
【図４】
2004260684.tif 000006
【図５】
2004260684.tif 000007
【図６】
2004260684.tif 000008
【図７】
2004260684.tif 000009
【図８】
2004260684.tif 000010
【図９】
2004260684.tif 000011